(57)【要約】      （修正有）【課題】ミサンガを機能性に優れた一種の装飾品として用い、耐久性に優れ健康の面からも効果があり応援グッズとしてもすぐれたミサンガ及び色彩の異なるものを複数使用するミサンガセットを提供する。【解決手段】弾性素材と金属素材によって構成したリング状の芯部材１１と、芯部材の表面の一部又は全部を覆う被覆材１２とによって構成し被覆材に所定の色彩を施したミサンガ１及びこのミサンガを所定の順序に並べて身体に装着するミサンガセット。【選択図】図３
0003197649.tif 000002
【実用新案登録請求の範囲】
【請求項１】
弾性素材と金属素材によって構成したリング状の芯部材と、前記芯部材の表面の一部又は全部を覆う被覆材とによって構成し、前記被覆材に所定の色彩を施したことを特徴とするミサンガ。
【請求項２】
弾性素材と金属素材によって構成したリング状の芯部材と、前記芯部材の表面の一部又は全部を覆う被覆材とによって構成したミサンガを複数個構成し、前記複数個のミサンガの被覆材に、それぞれ所定の色彩を施して所定の順序に並べて身体に装着することを特徴とするミサンガセット。
【請求項３】
弾性素材と金属素材によって構成したリング状の芯部材と、前記芯部材の表面の一部又は全部を覆う被覆材とによって構成し、前記被覆材の表面を複数の領域に分けて、この領域ごとにそれぞれ所定の色彩を所定の順序で施したことを特徴とするミサンガ。
【考案の詳細な説明】
【技術分野】
【０００１】
本考案は、手首などに装着して使用するミサンガに関するものであり、特にファッショナブルな装飾品として用いられ、かつ応援グッズとしても有効なミサンガ及びミサンガセットに関するものである。
【背景技術】
【０００２】
ミサンガは、本来は手首などに装着して使用する縁起担ぎの装飾品であるが、現在ではサッカーの試合やオリンピック観戦時に応援する者が装着することが多い。さらに、Ｊリーグの選手やプロ野球の選手等が日常的に装着しているため、若い人たちが日常的に使用する装飾品にもなっている。
【０００３】
ミサンガは元来、手芸の組みひもの一種であり色とりどりの刺繍糸を何本も合わせて編んで模様を付けていた。そのため現在でもその製法と素材は変化がなく刺繍糸や皮ひも等で製作されているが、同時に従来の素材を新しくしたミサンガが特許文献１によって提案されている。
【先行技術文献】
【特許文献】
【０００４】
【特許文献１】実用新案登録第３１６４７０３号公報
【０００５】
特許文献１のミサンガは、帯状の飾り紐部と、この帯状の飾り紐部の両端部に設けられこの帯状の飾り紐部をリング状に支持するための結着部からなり、少なくとも帯状の飾り紐部が水引で形成されていて、上記結着部が弾性材料より構成されているものである。
【０００６】
前記のミサンガは、素材が細い紐状の水引であるため、様々な編み方が可能であり発色も美しく装飾性が高い。さらに、紙製であるため適当な期間のうちに水分などの影響で強度が劣化し切れるため、切れると願いが叶うという願掛けに使用されるミサンガとして好適な素材である。さらに、上記結着部を弾性材料、例えばゴムなどで形成することにより、最初から飾り部分をリング状に保持することができ、手首または足首への装着が簡便になるという効果を有している。
【考案の概要】
【考案が解決しようとする課題】
【０００７】
しかしながら前記特許文献１記載のミサンガは、素材に細い紐状の水引を使用して適当な期間のうちに強度が劣化し切れるため永き使用に絶えず、健康の面からも特に効果もなくスポーツの観戦等には不向きなものである。
【０００８】
本考案は、ミサンガを機能性に優れた一種の装飾品として用いるもので、耐久性に優れ健康の面からも効果があり、また色彩の異なるものを複数使用することで国旗等をイメージさせてスポーツ観戦用の応援グッズとしてもすぐれたミサンガ及びミサンガセットを提供することを目的とする。
【課題を解決するための手段】
【０００９】
請求項１に記載の考案は、弾性素材と金属素材によって構成したリング状の芯部材と、前記芯部材の表面の一部又は全部を覆う被覆材とによって構成し、前記被覆材に所定の色彩を施したミサンガである。
【００１０】
請求項２に記載の考案は、弾性素材と金属素材によって構成したリング状の芯部材と、前記芯部材の表面の一部又は全部を覆う被覆材とによって構成したミサンガを複数個構成し、前記複数個のミサンガの被覆材に、それぞれ所定の色彩を施して所定の順序に並べて身体に装着するミサンガセットである。
【００１１】
請求項３に記載の考案は、弾性素材と金属素材によって構成したリング状の芯部材と、前記芯部材の表面の一部又は全部を覆う被覆材とによって構成し、前記被覆材の表面を複数の領域に分けて、この領域ごとにそれぞれ所定の色彩を所定の順序で施したことを特徴とするミサンガである。
【考案の効果】
【００１２】
請求項１記載のミサンガによれば、芯部材が弾力性を有する素材と金属素材からなるため身体への装着も容易でかつ外れにくく、耐久性に優れ健康的である。さらに被覆材に所定の色彩を施してスクールカラー等をイメージすることができるため装飾性が高められると共に、応援グッズとしても使用できる等の効果を奏する。
【００１３】
請求項２記載のミサンガセットによれば、複数のミサンガをそれぞれ所定の色彩を施して所定の順序に並べて身体に装着したため、装飾性を有すると共に、各ミサンガの配列によって国旗等をイメージすることができ応援グッズとして有効である。
【００１４】
請求項３記載のミサンガによれば、１個のミサンガの被覆材の表面を複数の領域に分け、この領域ごとにそれぞれ所定の色彩を施すことで、１個のミサンガで複数のミサンガを装着したのと同様な効果を果たすことができるため構成が簡易となり、身体への装着も容易である等の効果を有する。
【図面の簡単な説明】
【００１５】
【図１】本考案の実施形態１の正面図
【図２】本考案の実施形態１の側面図
【図３】本考案の実施形態１の縦断面図及びその一部拡大図
【図４】本考案の実施形態２の使用態様図
【図５】本考案の実施形態３の斜視図
【考案を実施するための形態】
【００１６】
本考案の実施形態１を図１乃至図３に基づいて説明する。
本実施形態のミサンガ１は、リング状の芯部材１１の表面の全体を被覆材１２で被覆したもので、手首または足首等に装着して使用するものである。
【００１７】
ミサンガ１の芯部材１１は、ゴムあるいはゴム系樹脂あるいはゴム製素材等の弾性素材にチタンあるいはその他の金属類の素材を加えて製造したものであり、表面を被覆材１２で被覆してある。
この被覆体１２はメッシュなどのジャージ素材などからなる布地で構成し、被覆材１２の表面には所定の単色の色彩が施されている。
この被覆材１２を構成することによって肌触りが良くなり、ミサンガを快適に使用することができ、またカラフルでファッショナブルな効果を得ることができる。
【００１８】
前記色彩は単色に限らず、また種類も使用者の意思で任意に決定できるが、応援グッズとして使用するときは応援対象物をイメージしたものが良く、例えば応援する学校のスクールカラー等を使用する。装着時には通常は１個で使用するが２個以上を同時に装着しても良い。
【００１９】
前記ミサンガ１の幅Ｄは、本実施形態では５ｍｍ程度としたが、幅や厚み等の大きさは任意に決定できる。また被覆材１２は芯部材１１の表面の一部だけを被覆してもよい。上記実施形態において芯部材１１と被覆材１２の素材は上記のものに限定されず、その他の素材のバリエーションを選択でき、色の組み合わせも適宜変更できる。
【００２０】
前記実施形態のミサンガ１によれば耐久性に優れる上に、身体への装着や取り外しが容易で快適に行える。さらに被覆材に施した色彩により装飾性が高められファッショナブルであると共に、応援グッズとしても効果的である。
また芯部材を構成する弾性素材の赤外線による温め効果及び金属素材による保温・保湿効果があるため健康の面からも有効である。
【００２１】
図４は本考案の実施形態２であり、前記実施形態１のミサンガを複数個使用したミサンガセットである。本実施形態では、３個のミサンガ１０、２０、１０を組み合わせて使用する。この組み合わせは、応援対象物のイメージカラー、例えば応援する国の国旗をイメージさせるようなものが好ましい。
【００２２】
上記のミサンガセットの使い方は、図４に示すように表面の色彩が白色のミサンガ１０，１０の間に赤色のミサンガ２０を挿入して手首に装着する。この場合のカラーの組み合わせは日本の国旗をイメージしている。これ以外に、例えば緑色、白色、赤色の順に並べれば、イタリアの国旗をイメージしたものになる。
【００２３】
前記実施形態２のミサンガセットによれば次の効果を奏する。
前記実施形態１のミサンガの効果に加えて、複数のミサンガを異なる色彩を施して用いることで、応援対象物のイメージカラー、例えば応援する国の国旗のイメージを容易に作り出すことができるため、オリンピックやその他の国際的なスポーツイベント等で使用することで、応援対象物と一体感が生まれ応援の雰囲気が盛り上がり、また応援する仲間と同じものを装着すればさらに応援が楽しくなるのである。
【００２４】
図５に本考案の実施形態３を示す。
この実施形態は、前記実施形態１のミサンガと同様の素材、構成からなる幅の広いミサンガ３０を構成し、このミサンガ３０の表面の被覆材３２を周方向を３個の領域３５，３６，３７に分割し、それぞれ領域に異なる３色を施している。図５では、領域３５を緑色、領域３６を白色、領域３７を赤色で色分けして、イタリアの国旗をイメージしている。
【００２５】
この実施形態では、前記の実施形態１のミサンガ１の３個分の役割を果たすから、ミサンガの製作が容易でありかつ装着も容易である等の効果を奏する。
【符号の説明】
【００２６】
１  ミサンガ      １１  芯部材
１２  被覆材        １０  ミサンガ  
２０  ミサンガ      ３０  ミサンガ
３２  被覆材
【図１】
0003197649.tif 000003
【図２】
0003197649.tif 000004
【図３】
0003197649.tif 000005
【図４】
0003197649.tif 000006
【図５】
0003197649.tif 000007